(57)【要約】【課題】カバー用具を掛け止めるための準備が容易であってカバー用具に固定的に取り付けることなく必要時に止め付けることができる用具により、マットに対するカバー用具の崩れを抑えるようにし、ベッドメーキングの作業を軽減なものとする。【解決手段】カバー用具保持具１を、ベッド土台とこのベッド土台の上に載置されたマットとの間であってマットのコーナー下部または下部近傍に配置される差し込み板２と、一端が差し込み板に連結されたつなぎ部材３と、前記つなぎ部材３の他端に位置してマットにかけられたシーツなどのカバー用具を着脱可能に保持するクリップ４とから構成した。【選択図】    図１
2006129997.tif 000002
【特許請求の範囲】
【請求項１】
ベッド土台とこのベッド土台の上に載置されたマットとの間であって前記マットのコーナー下部または下部近傍に配置される差し込み板と、一端が前記差し込み板に連結されたつなぎ部材と、前記つなぎ部材の他端に位置して前記マットにかけられたシーツなどのカバー用具を着脱可能に保持するクリップとを備えることを特徴とするカバー用具保持具。
【請求項２】
上記差し込み板は、この差し込み板を差し込むベッド土台とマットとに対する摩擦抵抗が大きい素材からなる表面材を少なくとも表裏面に設けている請求項１に記載のカバー用具保持具。
【請求項３】
上記差し込み板は、厚さ方向の中間高さ位置に保形部材を備え、この保形部材に上記つなぎ部材が連結されている請求項１または２に記載のカバー用具保持具。
【請求項４】
上記つなぎ部材は、差し込み板における直交する二方に設けられている請求項１から３の何れか一項に記載のカバー用具保持具。
【請求項５】
上記つなぎ部材は、弾性伸長可能な帯体からなるものである請求項１から４の何れか一項に記載のカバー用具保持具。
【請求項６】
上記つなぎ部材は長さ調整手段を有して、差し込み板とクリップとの間のつなぎ部材長さが変更可能に設けられている請求項１から５の何れか一項に記載のカバー用具保持具。
【発明の詳細な説明】
【技術分野】
【０００１】
本発明はベッドのマットにかけるシーツなどのカバー用具が就寝時にずれ難くするための保持具に関するものである。
【背景技術】
【０００２】
従来からベッドにあってはベッド土台の上に配置されたマットにベッドパットを置きさらにシーツをかけ、そのシーツの周囲をマットとベッド土台の間に差し入れるようにしている。このベッドメーキングは毎日行われていて比較的煩雑な作業となっていることから、近年においては、マットカバーとしてその主体部の裏面の四隅にマットの隅部に掛け止めできるゴムを設けるようにしたり（特許文献１参照）、シーツの四隅に同様にしてマットの隅部に掛け止めできるように渡すゴムをそのシーツの辺部に通すことが提案されている（特許文献２参照）。
また、寝具の一つであるベッド用掛け布団が使用時に滑り落ちるのを避けるために、二つのクリップをゴムでつなぎ、一方をベッドに、他方をかけ布団に止める用具がある（特許文献３参照）。さらに一方に掛け布団をかませるクリップを有し、他方にベッド土台に形成させる固定金具を有した用具も提案されている（特許文献４参照）。
【特許文献１】特開２００２−０２８０６１号公報
【特許文献２】特開平１１−０７６０２８号公報
【特許文献３】実開昭６２−１２８４８１号公報
【特許文献４】特開２０００−３４２４１７号公報
【発明の開示】
【発明が解決しようとする課題】
【０００３】
しかしながら、マットの上にかけるシーツやマットカバーなどのカバー用具に固定的にゴム材を取り付けたものにあっては、カバー用具を繰り返し洗濯するとそのゴム材が劣化して伸び縮みし難くなり、マットに適正に掛け止めることができないくなるという問題がある。
また、カバー用具の隅部に架け渡すゴム材をそのカバー用具の辺部に通すようにするものでは、カバー用具の洗濯に際してゴム材を抜き取ることでそのゴム材の劣化を防止できるが、カバー用具側に通し穴を設けておく必要があり、そのカバー用具の辺部の構造が複雑になるという問題があった。
そして、上述した二つのクリップを備える掛け布団の滑り落ちを防止する用具を利用してシーツなどのカバー用具の乱れを抑えるようにすることが考えられるが、カバー用具の隅部にこの用具を渡すようにして取り付けてマットの隅部に掛けることとなり、用具のセット作業自体が煩雑になってしまう。よって、二つのクリップを有する用具ではベッドメーキングの煩雑さを解消する手助けにはならないものであった。
またベッドに掛け止めることのできる固定金具を備えた上記用具を同様にカバー用具の乱れを抑える用具として利用することが考えられるが、ベッド土台側の形状によっては固定金具を掛け止めることができないことがあり、取り付けできるベッド土台を制限してしまい汎用性に大きく欠けるという問題が発生する。
そこで本発明は上記辞意場に鑑み、カバー用具を掛け止めるための準備が容易であってカバー用具に固定的に取り付けることなく必要時に止め付けることができる用具により、マットに対するカバー用具の崩れを抑えるようにすることを課題とし、ベッドメーキングの作業を軽減なものとすることを目的とする。
【課題を解決するための手段】
【０００４】
本発明は上記課題を考慮してなされたもので、ベッド土台とこのベッド土台の上に載置されたマットとの間であって前記マットのコーナー下部または下部近傍に配置される差し込み板と、一端が前記差し込み板に連結されたつなぎ部材と、前記つなぎ部材の他端に位置して前記マットにかけられたシーツなどのカバー用具を着脱可能に保持するクリップとを備えることを特徴とするカバー用具保持具を提供して、上記課題を解消するものである。
【０００５】
そして本発明において、上記差し込み板は、この差し込み板を差し込むベッド土台とマットとに対する摩擦抵抗が大きい素材からなる表面材を少なくとも表裏面に設けているものすることが良好である。
また、本発明において、上記差し込み板は、厚さ方向の中間高さ位置に保形部材を備え、この保形部材に上記つなぎ部材が連結されているものとすることが良好である。
また、本発明において、上記つなぎ部材は、差し込み板における直交する二方に設けられているものとすることが良好である。
また、本発明において、上記つなぎ部材は、弾性伸長可能な帯体からなるものであることが良好である。
また、本発明において、上記つなぎ部材は長さ調整手段を有して、差し込み板とクリップとの間のつなぎ部材長さが変更可能に設けられていることが良好である。
【発明の効果】
【０００６】
請求項１の発明によれば、差し込み板をマットとベッド土台との間に配置するという簡単な作業でカバー用具を使用できる状態に取り付けることができ、使用者の所望の位置にこのカバー用具保持具を配置できる。そして、クリップにてカバー用具を保持するようにしているので、カバー用具側に取付用の構造部分を予め設けておく必要なく、ベッド土台やカバー用具を限定することもない。さらにマットとベッド土台との構造を何ら変更することなくその間に差し込み板を差し入れ、このマットとベッド土台とで差し込み板が挟持されるようにしているので、寝姿勢を変えるときなどでマット上のカバー用具から加わる程度の引っ張り力では摩擦抵抗によってその差し込み板が抜き出ず、一方、人が引っ張る力では簡単に抜き出るようになり、取り外し作業が極めて簡単なものとなるなど、実用性に優れた効果を奏するものである。
【０００７】
請求項２の発明によれば、差し込み板がマットとベッド土台とに対して摩擦抵抗が大きいものであることから、カバー用具側からカバー用具保持具に引っ張り力が加わってもより一層引き抜き難くなり、カバー用具を確実に保持できる。
請求項３の発明によれば、差し込み板の保形部材につなぎ部材が連結されているので、マットやベッド土台に接する側の部材を、強度や剛性の制限を受けることなく自由に選択できるようになる。
請求項４の発明によれば、つなぎ部材には、差し込み板における直交する二方に設けられているので、カバー用具保持具をマットのコーナーの下部に配置することでマットのコーナーの二側面側それぞれに繋ぎ部材を引き出すことができ、この二側面側それぞれからカバー用具を保持でき、コーナー部分でのカバー用具の位置がより安定する。
請求項５の発明によれば、つなぎ部材が伸長可能か帯体からなるものであるので、マットの長さ方向や幅方向などで対向する二位置でカバー用具を保持することにより、そのカバー用具に張りを生じさせ易くなり、ベッドの外観を良好にできる。
請求項６の発明によれば、つなぎ部材は長さ調整手段を有して、差し込み板とクリップとの間のつなぎ部材長さが変更可能に設けられているので、マットの高さに応じて繋ぎ部材の長さを変更でき、カバー用具に対してクリップを取り付けるための位置を選択する自由度が高くなる。
【発明を実施するための最良の形態】
【０００８】
つぎに本発明を図１から図５に示す実施の形態に基づいて詳細に説明する。
図中１はカバー用具保持具で、該カバー用具保持具１は平面形状を略方形とした差し込み板２と一端がこの差し込み板２に連結されたつなぎ部材３とつなぎ部材３の他端に位置するクリップ４とを備えてなるものである。
前記差し込み板２は、この差し込み板２の厚さ方向の中間高さ位置に合成樹脂製にして可撓性のある保形部材５を、摩擦抵抗が大きい素材からなる二つの表面材６で挟み込んだ三層の積層物であって、保形部材５の一辺側に寄った位置に長孔の通し孔７が開口され、この通し孔７を塞ぐことがないように前記表面材６それぞれには通し孔７に対応する部分に切り欠き８が設けられている（図２参照）。
この差し込み板２の表裏を構成している表面材６は発泡ウレタンゴムなどの摩擦抵抗が大きい素材から成形されているものであり、素材自体が持つ摩擦抵抗が高いという特性がより効果的に活かすことができるように表面材６の上面それぞれには凹凸加工が施されている。また、表面材６に挟みこされている上記保形部材５は上述したように可撓性を有するものであるが、表面材６に比べて十分に剛性がある部材であって、この保形部材５を芯材とし、差し込み板２全体が撓むことがあっても、折れるなどの全体形状が大きく崩れるということが生じないように設けられている。
【０００９】
差し込み板２に連結している上記つなぎ部材３は弾性伸長する帯ゴムからなるもので、一端９を差し込み板２の上記通し孔７に通してから折り返して帯ゴム自体に縫着することで差し込み板２に連結されている。そして、このつなぎ部材３の他端１０も帯ゴムの折り返しとしていて、折り返した末端に設けた長さ調整手段１１に帯ゴム自体を通すことで形成した環状部分に上記クリップ４を掛け止め、この環状部分の折り返し部、即ち他端１０にクリップ４が位置できるようにしている。また、つなぎ部材３は長さ調整手段１１をずらすことでつなぎ部材長さを変更することができ、差し込み板２からクリップ４までの距離を使用者が必要に応じて変更できるように設けられている。
クリップ４は後述するマットにかけられたシーツなどのカバー用具を着脱可能に保持するものであり、カバー用具を保持する部分を使用者が必要に応じて開閉でき、カバー用具を保持するために閉じた場合には使用者が開操作をすることで開いて、カバー用具を開放できる。
【００１０】
上記構造のカバー用具保持具１を使用するに際しては、ベッド土台（図示せず）とこのベッド土台の上に載置されたマット１２との間であって、マット１２のコーナーまたはコーナー近傍の下部にカバー用具保持具１の上記差し込み板２を差し入れる（図３参照）。この差し入れによって前記差し込み板２はベッド土台とマット１２とに挟持された状態となる。こののち、つなぎ部材３をマット１２の側面の上下方向に沿わせ、上記クリップ４を、マット１２の上面に重ねられたパットシーツなどのカバー用具１３の辺部にこの辺部を咥えるようにして取り付ける。カバー用具１３をこの四隅に配したカバー用具保持具１で保持させたときにそのカバー用具１３にある程度の張りが出るようにつなぎ部材３の長さを調整したり、或いは事前につなぎ部材３の長さを調整しておく、
このようにカバー用具保持具１の差し込み板２をベッド土台とマット１２との間に差し込み、クリップ４をカバー用具１３の辺部に留めるという簡単な操作で、カバー用具１３を保持でき、就寝時に打つ寝返りなどの体移動によって体の下にあるカバー用具１３が体の動きに引っ張られるようなことがあっても、カバー用具保持具１で確実に保持されているため、マット１２上で大きく崩れることを防止できる。また、事前に配置されているカバー用具保持具１のクリップ４にカバー用具１３の辺部を留めるという簡単な作業でベッドメーキングが行えるため、ベッドメーキングの煩雑さを大幅に低減できる。
【００１１】
上記実施の形態は、差し込み板２に対してその一辺側につなぎ部材３を配置したものであるが、図４と図５に示すように、差し込み板２の連続する二辺に、上記切り欠き８から表出する通し孔７それぞれにつなぎ部材３を連結し、そのつなぎ部材３の他端１０にクリップ４を配する構造とすることも可能であり、差し込み板２における直交する二方につなぎ部材３があって先端にクリップ４を備えるカバー用具保持部１を例えばマット１２のコーナーの下部に位置するようにすることで、マット１２のコーナーに対応するカバー部材１３の隅部側の二辺を一つのカバー用具保持具１で保持でき、そのカバー用具１３のコーナー部分の位置をより安定的なものとすることができるとともに、コーナー部分での張りを簡単に生じさせることもできるようになる。
【図面の簡単な説明】
【００１２】
【図１】本発明に係るカバー用具保持具の一例を示す説明図である。
【図２】一例における差し込み板を分離した状態で示す説明図である。
【図３】一例の使用状態を示す説明図である。
【図４】他の例を示す説明図である。
【図５】他の例における差し込み板を分離した状態で示す説明図である。
【符号の説明】
【００１３】
１…カバー用具保持具
２…差し込み板
３…つなぎ部材
４…クリップ
５…保形部材
６…表面材
１１…長さ調整手段
１２…マット
１３…カバー用具
【図１】
2006129997.tif 000003
【図２】
2006129997.tif 000004
【図３】
2006129997.tif 000005
【図４】
2006129997.tif 000006
【図５】
2006129997.tif 000007